(57)【要約】【課題】圧縮機の底面付近で騒音が共鳴を起こさないようにでき、かつ、基盤を共通化できる空気調和機を提供すること。【解決手段】基盤３と圧縮機１の底面との間に、上記圧縮機１および基盤３から分離可能であるブチルゴム製の間隔調整部材７を配置する。上記間隔調整部材７は、防振ゴム５，５，５によって、大きな移動が制限されて、上記基盤３と上記圧縮機１の間から抜け出るのが防止される。【選択図】  図１
2004150762.tif 000002
【特許請求の範囲】
【請求項１】
基盤（３）と、
この基盤（３）に支持部材（５）によって支持される圧縮機（１）と、
上記基盤（３）と上記圧縮機（１）の底面との間に配置されると共に、上記支持部材（５）によって移動が制限される一方、上記圧縮機（１）および上記基盤（３）から分離可能である間隔調整部材（７）と
を備えた空気調和機。
【請求項２】
請求項１に記載の空気調和機において、
上記間隔調整部材（７）は、弾性材からなることを特徴とする空気調和機。
【請求項３】
請求項２に記載の空気調和機において、
上記間隔調整部材（７）は、平面図において略円形または略多角形であって、上記支持部材（５）は、三角形の頂点の位置に配置されていることを特徴とする空気調和機。
【発明の詳細な説明】
【０００１】
【発明の属する技術分野】
本発明は、空気調和機に関する。
【０００２】
【従来の技術】
従来、空気調和機としては、下記の特許文献１に記載されているように、室外ユニットの基盤（ベース）に圧縮機を防振ゴムを介して取り付けたものがある。この空気調和機では、上記基盤に上記圧縮機の底面に向かって突出する突部を形成して、上記基盤と上記圧縮機の底面との間の距離を調整して、上記圧縮機から発生する固有の周波数の騒音が上記基盤と上記圧縮機の底面との間で共鳴を起こさないようにしている。
【０００３】
【特許文献１】
実開平６−１８６７６号公報（第１図）
【０００４】
【発明が解決しようとする課題】
しかしながら、上記従来の空気調和機では、上記室外ユニットの基盤の一部を上記圧縮機の底面に向かって突出させて突部を形成しているため、固有の周波数の騒音を発生させる圧縮機の種類毎に異なる基盤を用意しなければならず、基盤の共通化が困難であるという問題がある。
【０００５】
また、上記従来の空気調和器では、上記基盤自体に突部を形成しているため、後に、圧縮機と基盤との間の距離を調整するためには、圧縮機を一度基盤から取り外して、新しい基盤に代えなければならず、基盤と圧縮機の底面との間の距離の調整が困難であるという問題もある。
【０００６】
そこで、本発明の目的は、基盤を共通化でき、しかも、圧縮機の底面付近で騒音が共鳴を起こさないように圧縮機の底面からの距離を簡単に調整できる空気調和機を提供することにある。
【０００７】
【課題を解決するための手段】
上記目的を達成するため、請求項１の発明の空気調和機は、
基盤と、
この基盤に支持部材によって支持される圧縮機と、
上記基盤と上記圧縮機の底面との間に配置されると共に、上記支持部材によって移動が制限される一方、上記圧縮機および上記基盤から分離可能である間隔調整部材と
を備えたことを特徴としている。
【０００８】
上記請求項１の発明の空気調和機によれば、上記基盤と上記圧縮機の底面の間に間隔調整部材を配置して、上記圧縮機の底面からの距離を変化させているので、従来の空気調和機のように、基盤自体に上記圧縮機の底面に向かって突出する突部を形成する必要がない。したがって、間隔調整部材を最適に選定するだけで騒音を低減できて、様々なタイプの圧縮機に対して基盤を共通化できる。
【０００９】
また、上記請求項１の発明の空気調和機によれば、間隔調整部材が基盤および圧縮機の底面から分離可能なので、間隔調整部材を取り換えるだけで、簡単に圧縮機の底面から間隔調整部材までの距離を調整して、基盤と圧縮機の底面との間における騒音の共鳴を防止して、騒音を低減できる。
【００１０】
また、上記請求項１の発明の空気調和機によれば、間隔調整部材の移動が上記支持部材によって制限されるので、運転中に間隔調整部材が圧縮機の底面と基盤の間から容易に抜け出ることがない。
【００１１】
また、請求項２の発明の空気調和機は、請求項１に記載の空気調和機において、上記間隔調整部材は、弾性材からなることを特徴としている。
【００１２】
上記請求項２の発明の空気調和機によれば、上記間隔調整部材を弾性材にしたので、上記間隔調整部材の弾性変形を利用して、上記支持部材の間かつ圧縮機の底面と基盤との間に上記間隔調整部材を簡単に入れることができ、また、圧縮機の底面と基盤との間から簡単に取り出すことができる。
【００１３】
また、請求項３の発明の空気調和機は、請求項２に記載の空気調和機において、上記間隔調整部材は、平面図において略円形または略多角形であって、上記支持部材は、三角形の頂点の位置に配置されていることを特徴としている。
【００１４】
上記請求項３の発明の空気調和機によれば、上記支持部材を、三角形の頂点の位置に配置していて、かつ、上記間隔調整部材を、平面図において略円形または略多角形にしているので、上記三角形の頂点の位置に配置されている三つの支持部材に上記間隔調整部材を簡単に当接させることができて、上記間隔調整部材を圧縮機の底面と基盤の間に簡単に拘束できる。あるいは、上記三つの支持部材と上記間隔調整部材とが当接しない場合でも、上記三つの支持部材と上記間隔調整部材との隙間を小さくできて、間隔調整部材の移動可能な距離を小さくできる。
【００１５】
【発明の実施の形態】
以下、本発明を図示の実施の形態により詳細に説明する。
【００１６】
図１は、この発明の一実施形態の空気調和機の断面図であり、室外ユニットにおける圧縮機１の近傍を表わしている。図示しないが、この圧縮機１と、四路切換弁と、室外熱交換器と、膨張弁と、室内熱交換器で冷媒回路を構成している。
【００１７】
上記圧縮機１を、支持部材の一例としての３つの防振ゴム５，５，５を介して基盤３に取り付けている。上記防振ゴム５，５，５を、図２の平面図に示すように、略二等辺三角形の頂点の位置に配置している。また、上記基盤３の圧縮機１に対向する部分に凹部８を形成して剛性を高めている。上記基盤３の凹部８と圧縮機１の底面との間は、距離ａを有する。
【００１８】
上記基盤３の凹部８を略覆うように、上記基盤３と記圧縮機１の底面との間に間隔調整部材７を配置している。この間隔調整部材７は、弾性材の一例としてのブチルゴムから形成されており、図２に示すように、略正八角形の形状をしている。この間隔調整部材７の八つの側面の内の三つを、防振ゴム５に少しの隙間をあけて対向するように防振ゴム５の近傍に配置して、間隔調整部材７が防振ゴム５，５，５の間から抜け出ないようにしている。この間隔調整部材７によって、圧縮機１の底面と間隔調整部材７との間を距離ｂに調整することによって、圧縮機１から出た騒音が圧縮機１の底面付近で共鳴を起こさないようにしている。
【００１９】
上記実施形態の空気調和機によれば、基盤３と圧縮機１の底面の間に間隔調整部材７を配置して、共鳴音を低減しているので、従来の空気調和機のように、基盤自体に圧縮機の底面に向かって突出する突部を形成する必要がない。したがって、間隔調整部材７を最適に選定するだけで騒音を低減できる。また、この実施形態の空気調和機の基盤３を様々なタイプの圧縮機に用いることができて、他のタイプの空気調和機と基盤を共通化できる。
【００２０】
また、上記実施形態の空気調和機によれば、間隔調整部材７が基盤３および圧縮機１の底面から分離可能なので、間隔調整部材７を取り換えるだけで、簡単に、圧縮機１の底面と間隔調整部材７との間の距離ｂを調整できて、圧縮機１の底面付近での騒音の共鳴を防止して、騒音を低減できる。
【００２１】
また、上記実施形態の空気調和機によれば、間隔調整部材７の大きな移動が３つの防振ゴム５によって制限されるので、運転中に間隔調整部材７が圧縮機１の底面と基盤３の間から抜け出ることを防止できる。
【００２２】
また、上記実施形態の空気調和機によれば、間隔調整部材７を弾性材であるブチルゴムから形成したので、間隔調整部材７の弾性変形を利用して、防振ゴム５，５，５の間かつ圧縮機１の底面と基盤３との間に間隔調整部材７を簡単に入れることができ、また、圧縮機１の底面と基盤３との間から簡単に取り出すことができる。
【００２３】
また、上記実施形態の空気調和機によれば、防振ゴム５を、略二等辺三角形の頂点の位置に配置していて、かつ、間隔調整部材７を、平面図において略正八多角形にしているので、上記略二等辺三角形の頂点の位置に配置されている三つの防振ゴム５，５，５に間隔調整部材７を簡単に当接あるいは近接させることができて、間隔調整部材７を圧縮機１の底面と基盤３の間に簡単に拘束でき、あるいは、間隔調整部材７の移動可能な距離を小さくできる。
【００２４】
上記実施形態の空気調和機では、間隔調整部材７を、平面図において略正八角形にしたが、間隔調整部材を、平面図において略正六角形等の他の正多角形にしても良い。また、平面図において単なる多角形、円形または楕円形等にしても良い。要は、三つの支持部材に当接または近接できる平面形状であれば良い。
【００２５】
また、上記実施形態の空気調和機では、防振ゴム５を平面図において略二等辺三角形の頂点の位置に配置したが、防振ゴムを平面図において略正三角形または略直角三角形の頂点の位置に配置しても良い。また、防振ゴムを平面図において単なる三角形の頂点の位置に配置しても良い。
【００２６】
また、上記実施形態の空気調和機では、間隔調整部材７はブチルゴムからなるが、間隔調整部材をブチルゴム以外のニトリルゴム、ウレタンゴム等で製造しても良い。また、間隔調整部材を樹脂または金属等で製造しても良い。
【００２７】
また、上記実施形態の空気調和機では、支持部材を、防振ゴム５で構成したが、支持部材を、金属バネ製の防振部材で構成しても良い。
【００２８】
また、上記実施形態の空気調和機は、基盤３の圧縮機１の底面に対向する位置に、基盤３の剛性を高めるための凹部８を形成したが、この発明の空気調和機は、基盤に凹部を形成しなくても良い。そして、基盤の表面に当接するように間隔調整部材を配置しても良い。
【００２９】
【発明の効果】
以上より明らかなように、請求項１の発明の空気調和機によれば、基盤と圧縮機の底面の間に間隔調整部材を配置して、上記圧縮機の下の間隔を調整しているので、従来の空気調和機のように、基盤自体に上記圧縮機の底面に向かって突出する突部を形成する必要がなくて、間隔調整部材を最適に選定するだけで騒音を低減できて、様々なタイプの圧縮機に対して基盤を共通化できる。
【００３０】
また、上記請求項１の発明の空気調和機によれば、間隔調整部材が基盤および圧縮機の底面から分離可能なので、間隔調整部材を取り換えるだけで、簡単に圧縮機の下の間隔を調整できて、圧縮機の底面付近での騒音の共鳴を防止して、騒音を低減できる。
【００３１】
また、請求項１の発明の空気調和機によれば、間隔調整部材の移動が上記支持部材によって制限されるので、運転中に間隔調整部材が圧縮機の底面と基盤の間から抜け出ることを防止できる。
【００３２】
また、請求項２の発明の空気調和機によれば、間隔調整部材を弾性材にしたので、上記間隔調整部材の弾性変形を利用して、上記間隔調整部材を上記支持部材の間かつ圧縮機の底面と基盤との間に簡単に入れることができ、また、圧縮機の底面と基盤との間から簡単に取り出すことができる。
【００３３】
また、請求項３の発明の空気調和機によれば、支持部材を、三角形の頂点の位置に配置していて、かつ、上記間隔調整部材を、平面図において略円形または略多角形にしているので、上記三角形の頂点の位置に配置されている三つの支持部材に上記間隔調整部材を簡単に当接または近接させることができて、上記間隔調整部材を圧縮機の底面と基盤の間に簡単に拘束でき、あるいは、間隔調整部材の移動可能な距離を小さくできる。
【図面の簡単な説明】
【図１】本発明の一実施形態の空気調和機の断面図である。
【図２】上記空気調和機が備える防振ゴムおよび間隔調整部材の配置位置を示す平面図である。
【符号の説明】
１  圧縮機
３  基盤
５  防振ゴム
７  間隔調整部材
【図１】
2004150762.tif 000003
【図２】
2004150762.tif 000004